(57)【特許請求の範囲】
【請求項１】
複数のカードが機器本体に装着される電子機器であって、
第１の挿入口を有し、第１の方向に第１のカードを押圧することにより前記第１の方向を挿抜方向として前記第１のカードを装着可能な第１のカードスロットと、
第２の挿入口を有し、カード厚み方向において第１のカードスロットに対して一部が重なるよう配設され、前記第１の方向とねじれの位置にある第２の方向に第２のカードを押圧することにより前記第２の方向を挿抜方向として前記第２のカードを装着可能な第２のカードスロットとを有し、
前記第１の方向と前記カード厚み方向とに垂直な方向における前記第１の挿入口の中心位置が、前記第２の方向と前記カード厚み方向とに垂直な方向において前記第２の挿入口から外れた位置に位置すると共に、前記第２の方向と前記カード厚み方向とに垂直な方向における前記第２の挿入口の中心位置が、前記第１の方向と前記カード厚み方向とに垂直な方向において前記第１の挿入口から外れた位置に位置するように、前記第１の挿入口と前記第２の挿入口とが配置されていることを特徴とする電子機器。
【請求項２】
前記第１、第２のカードスロットは、前記機器本体のうち前記カード厚み方向から見て外郭形状が円弧状の部分に配設され、前記第１の方向と前記カード厚み方向とに垂直な方向における前記第１の挿入口の中心位置を通り前記第１の方向に平行な直線と、前記第２の方向と前記カード厚み方向とに垂直な方向における前記第２の挿入口の中心位置を通り前記第２の方向に平行な直線とは、前記カード厚み方向から見て前記円弧状の部分が呈する円弧の中心と略一致する位置で交差することを特徴とする請求項１に記載の電子機器。
【請求項３】
一体に構成され、前記第１の挿入口及び前記第２の挿入口を共通に覆うことが可能なカバーを有することを特徴とする請求項１または２に記載の電子機器。
【発明の詳細な説明】
【技術分野】
【０００１】
本発明は、カードが挿抜されるカードスロットを複数備える電子機器に関する。
【背景技術】
【０００２】
従来、記録媒体等のカードが挿抜可能に装着されるカードスロットを複数有する電子機器が知られている。例えば、撮像装置では、カードスロットを複数設けることで、記録容量の総計を増加させたり、一方のカードから他方のカードへと記録データをコピーしたりする機能を容易に実現できる。
【０００３】
このような複数のカードスロットを備える電子機器において、従来、図４に示すようなカードスロットのレイアウトが提案されている。このカードスロットは、プッシュイン・プッシュイジェクト方式のカードスロットとする。従って、挿入時はユーザがカードをカードスロットに押し込むことでカードが装着ロックされ、抜去時はカードの幅方向中心付近を押すことでロックが外れカードがイジェクトされる。
【０００４】
図４に示すようなカードスロットのレイアウトは、第１のカード４Ａ用、及び第２のカード４Ｂ用のそれぞれのカードスロットが図のＸ方向（カード厚み方向）に平行に並んで配置される。そのため、ユーザには各々のカードスロットの存在を直感的に認識させることができる。
【０００５】
しかしながら、このようにＸ方向に平行に並んで配置されたカードスロットのレイアウトでは、カード４Ａ、４Ｂのそれぞれの挿抜操作性を阻害しないようにするため、Ｘ方向に所定の距離だけ離間させて両カードスロットを配置する必要がある。カード４Ａ、４Ｂをユーザが挿抜操作しようとする際に指が位置する主な範囲を領域ＭＡ及び領域ＭＢとして示す。両カードスロットの位置が近すぎると、領域ＭＡ及び領域ＭＢが近接し過ぎるため、一方のカードを挿抜する際、他方のカードを誤って押してしまう等の誤操作・誤挿抜を誘発しやすい。そのため、これを防止するために、両カードスロットの位置を所定距離Ｄだけ離間させる必要が出てくる。
【０００６】
さらに、各々のカードスロットを離間して配置するために、各カードスロットに対してそれらを実装するための基板が必要となる。そのため、電子機器全体としては、各々のカードスロットを互いに離間させた分、Ｘ方向に大きくなってしまうというデメリットがある。
【０００７】
この問題に対して、特許文献１では次のような提案がなされている。すなわち、複数のカードスロットに対して、第１のカードスロットの挿入方向と第２のカードスロットの挿入方向を所定の角度傾斜させるように、各々のカードスロットを配置する。この提案を採用すれば、図４に示したような複数カードスロットのレイアウトより近接した位置にカードスロットを配置しても、各々のカード挿抜の操作性を損なわず、複数カードスロットをレイアウトできる。
【先行技術文献】
【特許文献】
【０００８】
【特許文献１】特開２００３−２８８５５０号公報
【発明の概要】
【発明が解決しようとする課題】
【０００９】
しかしながら、カードスロットを傾斜させる方向が、カード厚み方向（図４におけるＸ方向）と同じとなるため、電子機器全体として、カードスロットを傾斜させた分だけＸ方向にスペースを必要とし、カード厚み方向の省スペースを十分に図ることはできない。
【００１０】
本発明は上記従来技術の問題を解決するためになされたものであり、その目的は、カード厚み方向の省スペースを図ると共に、カード挿抜時の誤操作を抑制することができる電子機器を提供することにある。
【課題を解決するための手段】
【００１１】
上記目的を達成するために本発明は、複数のカードが機器本体に装着される電子機器であって、第１の挿入口を有し、第１の方向に第１のカードを押圧することにより前記第１の方向を挿抜方向として前記第１のカードを装着可能な第１のカードスロットと、第２の挿入口を有し、カード厚み方向において第１のカードスロットに対して一部が重なるよう配設され、前記第１の方向とねじれの位置にある第２の方向に第２のカードを押圧することにより前記第２の方向を挿抜方向として前記第２のカードを装着可能な第２のカードスロットとを有し、前記第１の方向と前記カード厚み方向とに垂直な方向における前記第１の挿入口の中心位置が、前記第２の方向と前記カード厚み方向とに垂直な方向において前記第２の挿入口から外れた位置に位置すると共に、前記第２の方向と前記カード厚み方向とに垂直な方向における前記第２の挿入口の中心位置が、前記第１の方向と前記カード厚み方向とに垂直な方向において前記第１の挿入口から外れた位置に位置するように、前記第１の挿入口と前記第２の挿入口とが配置されていることを特徴とする。
【発明の効果】
【００１２】
本発明によれば、カード厚み方向の省スペースを図ると共に、カード挿抜時の誤操作を抑制することができる。
【図面の簡単な説明】
【００１３】
【図１】本発明の一実施の形態に係る電子機器の外観斜視図、外装部材を取り除いて内部を表した斜視図である。
【図２】カードが装着状態にあるカード基板の斜視図、部分拡大図である。
【図３】カードスロットが配設された部分を天面側から見た図、矢印Ｇ方向から見た図である。
【図４】従来の電子機器のカードスロットを示す図である。
【発明を実施するための形態】
【００１４】
以下、本発明の実施の形態を図面を参照して説明する。
【００１５】
図１（ａ）は、本発明の一実施の形態に係る電子機器の外観斜視図である。図１（ｂ）は、同電子機器から外装部材を取り除いて内部を表した斜視図である。
【００１６】
本実施の形態では、電子機器として撮像装置を例示する。機器本体である装置本体１は被写体を撮像するためのレンズ２を備える。撮像装置の装置本体１には、２枚のカード４（第１のカード４Ａ、第２のカード４Ｂ）が独立して装着可能である。第１のカード４Ａ、第２のカード４Ｂを挿抜により着脱可能な２つのカードスロット３（第１のカードスロット３Ａ、第２のカードスロット３Ｂ）が装置本体１に設けられる（図１（ｂ））。カード４としては、カード状記録媒体、いわゆるメモリカードを例示するが、通信機能等を有する各種の機能カードであってもよい。
【００１７】
図１（ｂ）に示すように、装置本体１の内部において、センサープレート６、カード基板５が配設される。センサープレート６には、レンズ２を通して撮像された画像を電気信号に変換するセンサが実装された図示しないセンサ基板が取り付けられる。図１（ａ）において示される領域Ｒは、カード４及びカードスロット３が配設される範囲を表す。
【００１８】
図１（ａ）において、３次元の方向を矢印にてＸ方向、Ｙ方向、Ｚ方向と定める。装置本体１の長手方向がＸ方向である。Ｘ方向において、特に、装置本体１のうちレンズ２がある側（被写体側）を前側、レンズ２から遠い側を後側とする。
【００１９】
本撮像装置における各要素のレイアウトを説明する。図１（ａ）に示すように、装置本体１は、レンズ２を囲うようにＸ方向に延在する円筒状の鏡筒部を成す。
【００２０】
装置本体１の内部では、図示しないセンサ基板が取り付けられたセンサープレート６が、レンズ２に対して、レンズ２のＸ方向後方（装置本体１の後部）に締結される。カード基板５は、上記センサ基板のＸ方向後方において該センサ基板に近接した位置に配置され、センサープレート６に締結される。上記センサ基板とカード基板５とをＸ方向に近接配置し、且つどちらの基板もセンサープレート６に締結することで、撮像装置全体がＸ方向において小型化され、基板を保持する部材の部品削減も実現される。
【００２１】
カード基板５のセンサープレート６側の面（すなわち前面）には、第１のカードスロット３Ａが実装され、その反対側の面（すなわち後面）には第２のカードスロット３Ｂが実装される。カード基板５の表裏（前後）に各カードスロット３を配置することで、撮像装置全体のＸ方向の小型化に一層寄与できる。また、各々のカードスロット３は、筒状の鏡筒部を成す装置本体１のＹ方向における上部（天面）に配設される。
【００２２】
次に、カード４の方向性やカードスロット３周りの構成について説明する。図２（ａ）は、カード４が装着状態にあるカード基板５の斜視図である。図２（ｂ）は、図１（ａ）の領域Ｒで示される部分の拡大図である。ただし、領域Ｒで示される範囲の構成要素を切り取った形で簡略化して示している。
【００２３】
図３（ａ）は、カードスロット３が配設された部分を天面側から見た図である。図３（ｂ）は、図２（ｂ）に示す部分を図２（ｂ）の矢印Ｇ方向（Ｘ方向における前側）から見た図である。
【００２４】
本実施の形態において、カード４としては、薄型で厚み方向から見て長方形の形状のものを例示している。カードスロット３は、カード４に対応する収容部を有してＸ方向視で略長方形のケース型に構成される。第１のカードスロット３Ａの第１の挿入口３１Ａ、第２のカードスロット３Ｂの第２の挿入口３１Ｂ（図３（ａ）参照）は、いずれも略上方を向いて開口している。
【００２５】
図２（ａ）に示すように、カード４及びカードスロット３について、カード厚み方向（以下、「厚み方向Ｓ」という）は同じ方向であり、Ｘ方向と同じ方向である。第１のカードスロット３Ａに対して第１のカード４Ａを挿抜する方向を挿抜方向ＵＡ（第１の方向）、第２のカードスロット３Ｂに対して第２のカード４Ｂを挿抜する方向を挿抜方向ＵＢ（第２の方向）とする。第１のカード４Ａ及び第１のカードスロット３Ａにおいて、挿抜方向ＵＡと厚み方向Ｓとに垂直な方向を幅方向ＴＡとする。第２のカード４Ｂ及び第２のカードスロット３Ｂにおいて、挿抜方向ＵＢと厚み方向Ｓとに垂直な方向を幅方向ＴＢとする。後にも述べるように、挿抜方向ＵＡと挿抜方向ＵＢとは、ねじれの位置となっている。
【００２６】
図２（ｂ）、図３（ａ）、（ｂ）に示すように、装置本体１の上部にトップカバー７が設けられ、装置本体１の天面を構成している。トップカバー７には開口部７ａが形成される。開口部７ａの内側にはカードホルダ８が配設される。トップカバー７とカードホルダ８との間にカードカバー９が配設される（図３（ｂ））。カードカバー９は、Ｘ方向にスライドすることで、開口部７ａを覆う位置から開口部７ａを露出させる位置に移動する。図２（ｂ）、図３（ａ）、（ｂ）では、カードカバー９が開口部７ａを露出する位置にある。トップカバー７において、開口部７ａのＸ方向両側には、カードカバー９の操作を容易にするための指掛け凹部７ｂ、７ｃが形成される。
【００２７】
カードホルダ８は、第１のカードスロット３Ａ及び第２のカードスロット３Ｂの各挿入口３１Ａ、３１Ｂに対応した位置が開口している。図２（ｂ）、図３（ａ）、（ｂ）に示す状態では、開口部７ａ及びカードホルダ８の開口を通じてカード４の各々の挿抜操作が可能である。
【００２８】
第１のカードスロット３Ａ及び第２のカードスロット３Ｂは、厚み方向Ｓにおいて互いに一部が重なっており、カード４Ａ、４Ｂも装着状態においては互いに一部が重なる。上述したように、カード基板５の表裏（前後）にカードスロット３Ａ、３Ｂが実装され、厚み方向Ｓに並列配置される。その結果、カードスロット３Ａ、３Ｂの、厚み方向Ｓにおける中心位置同士の距離ｄ（図３（ａ））は小さく抑えられている。さらに、カード基板５の表裏にカードスロット３を実装することで、１枚の基板で２つカードスロット構造を実現できるため、部品削減によるコストダウンの効果も期待できる。
【００２９】
カードスロット３はプッシュイン・プッシュイジェクト方式である。図３（ｂ）に示すように、カード４Ａ、４Ｂにおいて、幅方向ＴＡ、ＴＢにおける各中央位置である操作位置ＦＡ、ＦＢの付近が、挿抜操作の際に指で主に押圧される領域となる。第１のカードスロット３Ａの第１の挿入口３１Ａの幅方向ＴＡにおける中心位置をＰＡ、第２のカードスロット３Ｂの第２の挿入口３１Ｂの幅方向ＴＢにおける中心位置をＰＢとする（図３（ａ）も参照）。
【００３０】
図３（ｂ）からもわかるように、カードスロット３が配設される部分において、トップカバー７の上部の外郭形状は、厚み方向Ｓから見て円弧状となっている。厚み方向Ｓから見て、中心位置ＰＡを通り挿抜方向ＵＡに平行な直線ＬＡと、中心位置ＰＢを通り挿抜方向ＵＢに平行な直線ＬＢとは、交点Ｃ０で交差する。直線ＬＡ、ＬＢの成す角は３０°程度に設定されている。言い換えれば、中心位置ＰＡと中心位置ＰＢとは、厚み方向Ｓから見て、交点Ｃ０を回転中心として回転方向に互いにずれた位置に位置する。
【００３１】
幅方向ＴＢにおける第２のカード４Ｂの最大外郭寸法を最大幅Ｅとする。上記のように中心位置ＰＡ、ＰＢが回転方向にずれている結果、カード４Ａ、４Ｂの装着状態において、上面からの投影上で、最大幅Ｅの範囲に操作位置ＦＡが重ならない。このようになるには、カード４の形状にも依存するため、カードスロット３同士の関係において中心位置ＰＡ、ＰＢの十分なずれ量を確保しておくのが望ましい。すなわち、カードスロット３同士の関係でいえば、中心位置ＰＡは、幅方向ＴＢにおいて、第２のカードスロット３Ｂの第２の挿入口３１Ｂから外れた位置に位置する。このような関係は、カード４Ａ、４Ｂ相互、及びカードスロット３Ａ、３Ｂ相互において成り立っている。
【００３２】
一方のカード４の操作位置が他方のカード４の操作位置とは十分に離れるので、一方のカード４を挿抜操作する際、誤って他方のカード４をプッシュしてしまう等の誤操作が生じにくく、良好に挿抜操作を行うことが可能となる。しかも、各カード４の操作方向に関して、挿抜方向ＵＡと、挿抜方向ＵＢとの位置関係がねじれの位置となるので、力を加えるべき方向が異なることになる。このように、互いのカード４の挿抜方向がずれていることも、挿抜操作における誤操作を抑制することにつながる。
【００３３】
ところで、厚み方向Ｓから見て、交点Ｃ０はトップカバー７の上部の円弧形状部分の円弧の中心とも一致している。この円弧の中心は、装置本体１の円筒状の鏡筒部の中心でもある。挿抜方向ＵＡおよび挿抜方向ＵＢがトップカバー７の円弧中心を向くことになるので、厚み方向Ｓから見て、トップカバー７の外面と直線ＬＡ、ＬＢとの交点を通るトップカバー７の仮想接線に対して、それぞれ挿入口３１Ａ、３１Ｂが平行となる。
【００３４】
このような配置により、カードスロット３は、いずれもトップカバー７に内側から近接して配置するのに有利となる。従って、カードスロット３において、奥行き方向（カード挿抜方向）の省スペース化が可能となる。それだけでなく、カード挿抜操作も浅い位置で行えるようになるため、挿抜操作の操作性の向上にも寄与できる。なお、交点Ｃ０がトップカバー７の円弧の中心と一致するのが好ましいが、両者が近ければそれに応じた効果は期待でき、略一致でもよい。
【００３５】
また、上述したように、２つのカードスロット３がＸ方向に近接配置されることで、トップカバー７の開口部７ａの開口の面積をＸ方向に小さくすることが可能である。その分、カードカバー９のＸ方向への移動量も小さくすることができ、カードカバー構造の簡易化・省スペース化にもつながる。
【００３６】
ここで、カードカバー９は、挿入口３１Ａ、３１Ｂを共通に覆う一体で１枚の円弧状の板状部材で構成され、部品点数の増加が回避されている。このような構成を実現するには、直線ＬＡ、ＬＢの成す角が９０°以下であることが望ましい。本実施の形態では約３０°としたことで、開口部７ａをＺ方向（乃至トップカバー７の円周方向）に小さくすることができ、この開口部７ａを覆うカードカバー９も１枚で構成するのが容易となるため、部品削減によるコストダウンにつながる。
【００３７】
本実施の形態によれば、一部同士が重なるように並設された２つのカードスロット３の挿抜方向ＵＡと、挿抜方向ＵＢとの位置関係がねじれの位置であるので、厚み方向Ｓの省スペースを図ると共に、カード挿抜時の誤操作を抑制することができる。操作性の向上にも寄与する。
【００３８】
また、中心位置ＰＡ（ＰＢ）は、幅方向ＴＢ（ＴＡ）において、カードスロット３Ｂ（３Ａ）の挿入口３１Ｂ（３１Ａ）から外れた位置に位置する。これにより、誤操作抑制効果が高まる。
【００３９】
また、厚み方向Ｓから見て、直線ＬＡ、ＬＢは、トップカバー７の円弧の中心でもある交点Ｃ０で交差するので、カードスロット３をトップカバー７に近接配置でき、省スペースに資する。
【００４０】
また、一体で単一のカードカバー９を、挿入口３１Ａ、３１Ｂを共通に覆うことが可能なように構成できる程度に、直線ＬＡ、ＬＢの成す角を決めているので、部品点数の削減に資する。
【００４１】
なお、本実施の形態では、互いに一部が重なるカードスロット３を２つとして説明したが、３つ以上のカードスロットが相互の上記のような関係を有するように構成してもよい。なお、カードスロット３が十分に小さい場合を想定すると、カード基板５の両面でなく、同一面側に複数のカードスロットを配置してもよい。
【００４２】
また、カード基板５は１枚としたがそれに限られない。複数カードスロットのＸ方向への近接配置という観点では、例えば２枚のカード基板を用いて、それぞれに実装されるカードスロットが背中合わせになるように配置することでカードスロットの近接配置を実現することも可能である。
【００４３】
なお、本発明が適用される電子機器としては、撮像装置に限られず、複数のカードが機器本体に装着される電子機器であればよい。
【００４４】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４５】
１  装置本体
３Ａ  第１のカードスロット
３Ｂ  第２のカードスロット
４Ａ  第１のカード
４Ｂ  第２のカード
３１Ａ  第１の挿入口
３１Ｂ  第２の挿入口
Ｓ  厚み方向
ＵＡ、ＵＢ  挿抜方向
【図１】
0005901234.tif 000002
【図２】
0005901234.tif 000003
【図３】
0005901234.tif 000004
【図４】
0005901234.tif 000005